(57)【要約】【目的】複数ストリームにパケット化された主信号から生成される複数ストリームのＴＤＭ信号を無瞬断で切り替えることのできる受信位相継承回路を提供する。【構成】所定パケット化周期によりパケット化されてパケット伝送網から到来する複数ストリームの主信号を受信し、該ストリーム別に、その主信号をＴＤＭ信号化して中継する受信位相継承回路であり、該ストリーム別に複数設けられ、指定動作ポイントを伴う動作指令に応じて、当該ストリームの主信号をＴＤＭフレーム化して書き込むと共に、書き込まれた主信号を読み出すジッタバッファを含み、該ストリーム毎に、当該ストリームの各パケットの受信時刻の変動に基づいてパケット遅延平均値を測定し、該ストリーム毎に得られたパケット遅延平均値の各々間の差分値が所定範囲内にある場合に、該複数ストリームのうちの１のストリームのパケット遅延平均値に基づいて共通動作ポイントを生成し、これを該指定動作ポイントとする動作指令を、該ジッタバッファの各々に共通して供給する。【選択図】図４
2008054020.tif 000002
【特許請求の範囲】
【請求項１】
所定パケット化周期によりパケット化されてパケット伝送網から到来する複数ストリームの主信号を受信し、前記ストリーム別に、その主信号をＴＤＭ信号化して中継する受信位相継承回路であって、
前記ストリーム別に複数設けられ、指定動作ポイントを伴う動作指令に応じて、当該ストリームの主信号をＴＤＭフレーム化して書き込むと共に、書き込まれた主信号を読み出すジッタバッファと、
前記ストリーム毎に、当該ストリームの各パケットの受信時刻の変動に基づいてパケット遅延平均値を測定する遅延平均値測定手段と、
前記ストリーム毎に得られたパケット遅延平均値の各々間の差分値が所定範囲内にある場合に、前記複数ストリームのうちの１のストリームのパケット遅延平均値に基づいて共通動作ポイントを生成し、これを前記指定動作ポイントとする動作指令を、前記ジッタバッファの各々に共通して供給するジッタバッファ制御手段と、
を含むことを特徴とする受信位相継承回路。
【請求項２】
前記遅延平均値測定手段は、前記受信時刻の変動を前記パケット化周期に同期して反復到来する基準時刻を基準にして測定し、前記変動の平均値を得て、これを前記遅延平均値とすることを特徴とする請求項１記載の受信位相継承回路。
【請求項３】
前記ジッタバッファ制御手段は、前記共通動作ポイントに基づいて、前記主信号のジッタバッファ書込位置を前記複数ストリーム間で一致させることを特徴とする請求項１記載の受信位相継承回路。
【請求項４】
前記ジッタバッファ制御手段は、前記差分値が前記所定範囲外にある場合に、前記ストリームの各々において動作ポイントが異なることを警報メモリに格納すると共に、各々の動作ポイントに基づいてジッタバッファ制御を行うことを特徴とする請求項１記載の受信位相継承回路。
【請求項５】
遅延平均値測定手段により得られるパケット遅延平均値を保持するメモリを含み、前記ジッタバッファ制御手段は、前記メモリにアクセスして前記ストリーム別のパケット遅延平均値を得て、前記共通動作ポイントを生成することを特徴とする請求項１記載の受信位相継承回路。
【発明の詳細な説明】
【技術分野】
【０００１】
本発明は、パケット化されてパケット伝送網から到来する主信号を受信し、これをＴＤＭ信号化して中継する受信位相継承回路に関する。
【背景技術】
【０００２】
図１は、公知のエミュレータ装置を示している。エミュレータ装置３は、ＩＰ網２とＴＤＭ網４との間にあって、両者の間で送受信される主信号の伝送形式及びプロトコル上の違いを整合せしめるエミュレータ装置として機能する。情報源１は、例えば、映像信号や音響信号等の主信号を所定パケット化周期でパケット化し、得られるパケットをＩＰ網２に供給する。エミュレータ装置３は、該パケットをＩＰ網２から取り込み、該パケットから映像信号や音響信号の各々を抽出し、これらを所定パケット化周期に対応するフレーム周期の時分割チャネルの各々に割り振って格納することでＴＤＭ信号に変換し、これをＴＤＭ網４に供給する。該ＴＤＭ信号には、１つの情報源からの主信号のみならず、図示されない異なる他の情報源からの主信号も多重化される。異なる複数の情報源からのパケットは、通常、パケット番号により情報源が識別され、各情報源毎にシーケンス番号によりその順序が識別される。
【０００３】
情報源１は、通常、１系統（以下、ストリームと称する）の主信号をパケット化して、一連のパケット列としてＩＰ網２に供給する。図示される既存パケット５は、該パケット例の１つのストリームに含まれるパケットである。すなわち、既存パケット５（パケット番号：０００１、シーケンス番号：Ｘ）は、情報源１から供給されるパケットであり、ＴＤＭ信号の１つのチャネル（ＣＨ１）に割り振られるべき主信号が１０ｍｓ分格納されている。これに対応するＴＤＭ信号のフレーム６は、フレーム周期を１ｍｓとし、Ｎチャネルが時分割多重されるフレームである。そのＣＨ１に対応する部分、すなわち、タイムスロットには、上記のパケット５に格納された１０ｍｓ分の主信号から１ｍｓ分が格納される。従って、パケット５に格納されていた１０ｍｓ分の主信号は、１０フレームにわたるＴＤＭ信号に格納されることになる。
【０００４】
ところで、情報源１の運用において、その主信号のチャネル数の増加または削減を実施することがある。例えば、従来映像信号のみを伝送していたのに新たにテキストデータ伝送のためのチャネルを追加する場合が想定される。図示される新規パケット７は、パケット５に対して１チャネルが追加されて２チャネル分の主信号が格納されたパケットである。２チャネル分の主信号は、フレーム８のＣＨ１及びＣＨ２の対応するタイムスロットに各々格納されることになる。
【０００５】
図２は、既存パケットから新規パケットへの切替時の形態を示している。かかる切替時には、既存パケットのストリームと新規パケットのストリームとが並行して送信される並行ストリーム伝送形態になる。既存パケットのストリームと新規パケットのストリームは、ジッタバッファＡ及びジッタバッファＢに各々蓄積され、切替時にはジッタバッファＡ及びジッタバッファＢの何れかが選択されて、これからＴＤＭ信号がデータ欠損のない無瞬断で出力される必要がある。しかし、かかる形態では、既存パケット及び新規パケットの各々の受信タイミングが、ＩＰ網上で発生する遅延変動により異なるため、各パケットのジッタバッファへの書込位置は一致しない。そのため得られるＴＤＭ信号における主信号の位置（フレーム位置）にずれが生じる。
【０００６】
図３は、主信号の書込位置にずれが生じる状況を説明している。ここで、既存パケットのストリームと新規パケットのストリームに対するジッタバッファの書込は、別個独立になされている。その結果として、ＴＤＭ信号における主信号のフレーム位置にずれが生じている。かかる現象はＴＤＭ信号を利用する受信側における誤動作の原因となって、データ欠損を招来するものとなる。この点、特許文献１は、伝送路が多重化された状況における伝送路バッファ量制御方式を開示している。
【特許文献１】特開平５−２６８２６７号公報
【発明の開示】
【発明が解決しようとする課題】
【０００７】
しかし、特許文献１に開示される技術は、パケット伝送におけるパケット欠損等に起因する瞬断を回避する技術であって、上記した如きＴＤＭ信号化される主信号のフレーム位置異常の如き瞬断を回避し得るものではない。
【０００８】
本発明の目的は、複数ストリームにパケット化された主信号から生成される複数ストリームのＴＤＭ信号を無瞬断で切り替えることのできる受信位相継承回路を提供することである。
【課題を解決するための手段】
【０００９】
本発明による受信位相継承回路は、所定パケット化周期によりパケット化されてパケット伝送網から到来する複数ストリームの主信号を受信し、該ストリーム別に、その主信号をＴＤＭ信号化して中継する受信位相継承回路であり、該ストリーム別に複数設けられ、指定動作ポイントを伴う動作指令に応じて、当該ストリームの主信号をＴＤＭフレーム化して書き込むと共に、書き込まれた主信号を読み出すジッタバッファと、該ストリーム毎に、当該ストリームの各パケットの受信時刻の変動に基づいてパケット遅延平均値を測定する遅延平均値測定手段と、該ストリーム毎に得られたパケット遅延平均値の各々間の差分値が所定範囲内にある場合に、該複数ストリームのうちの１のストリームのパケット遅延平均値に基づいて共通動作ポイントを生成し、これを該指定動作ポイントとする動作指令を、該ジッタバッファの各々に共通して供給するジッタバッファ制御手段とを含むことを特徴とする。
【発明の効果】
【００１０】
本発明による受信位相継承回路によれば、複数ストリームにパケット化された主信号から生成される複数ストリームのＴＤＭ信号を無瞬断で切り替えることができる。
【発明を実施するための最良の形態】
【００１１】
本発明の実施例について添付の図面を参照しつつ詳細に説明する。
【００１２】
図４は、本発明の実施例を示し、本発明による受信位相継承回路であるエミュレータ装置の構成を示している。エミュレータ装置３０は、本発明による受信位相継承回路であり、パケットヘッダ抽出部３１と、パケット状態メモリ３２と、装置内カウンタ３３と、受信パケット平均時間測定部３４と、平均結果メモリ３５と、平均結果判定部３６と、パケット情報メモリ３７と、ジッタバッファ書込位置決定部３８と、ジッタバッファ制御部３９と、ジッタバッファ４０と、主信号選択部４１と、警報メモリ４２とを含む。
【００１３】
エミュレータ装置３０には、ＩＰ網を介して１つの情報源から２つのストリームのパケットが供給される。エミュレータ装置３０の運用として、例えば、既存パケットからなるストリームと、新規パケットからなるストリームとが想定される。エミュレータ装置３０にとって、既存パケットか新規パケットかの区別はできないことから、以下、２つのストリームのうちの１つのストリームのパケットを自パケットと称し、他のストリームのパケットを対パケットとして説明する。各ストリームの区別はパケット番号によりなされる。自パケットのストリームのパケット番号を“０００１”とし、対パケットのストリームのパケットをパケット番号を“１００１”とする。これにより、パケット番号の最上位ビットにより自パケットと対パケットとの識別が可能となり、パケット番号の下位ビットは同一値となり１つの情報源からのものと判断できる。
【００１４】
エミュレータ装置３０は、ＴＤＭ網に向けてＴＤＭ信号を送出する。該ＴＤＭ信号は、複数のＴＤＭフレームが反復する信号である。各フレームは、複数のチャネルの主信号が複数のタイムスロットに各々割り当てられて格納されることで、時分割多重された信号である。本実施例では、フレーム周期を１ｍｓとし、チャネル数をＮ（Ｎは正数）とする。また、パケット化周期を１０ｍｓとする。すなわち、１つのパケットから１０フレーム分（１０ｍｓ）の主信号が抽出され得ることを意味する。
【００１５】
図４を再び参照すると、パケットヘッダ抽出部３１は、受信したパケットから主信号とヘッダに分離する。パケット状態メモリ３２は、ストリーム毎（パケット番号毎）のパケット状態、すなわち、初期状態、平均測定中及び平均測定完了の何れかであるパケット状態を示す情報を格納するメモリである。ここで、「初期状態」とはパケット未受信状態を示すパケット状態であり、「平均測定中」とは受信したパケットの遅延平均値を測定中であるパケット状態であり、「平均測定完了」とは受信したパケットの遅延平均値を測定完了したパケット状態である。
【００１６】
装置内カウンタ３３は、装置内クロックで動作する複数のカウンタ、すなわち、ＴＤＭ信号のフレーム周期でカウントアップされて受信したパケットの到着時刻を示す受信時刻カウンタＣ１と、パケット化周期でインクリメントされてジッタバッファ４０の面位置を示す面情報カウンタＣ２と、ジッタバッファ４０面情報のフレーム位置を示し、面情報カウンタＣ２の変化でリセットされるフレーカウンタＣ３とからなる。尚、以降で用いられる用語「時刻」とは、受信時刻カウンタＣ１によりカウントアップされる計数を意味し、通常の用語例とは異なることに注意を要する。
【００１７】
受信パケット平均時間測定部３４は、本発明の構成要素である遅延平均値測定手段を構成し、パケット番号毎に、受信パケットのシーケンス番号と受信時刻カウンタＣ１から得られる受信時刻とに基づいて遅延平均値を測定する。遅延平均値は、受信パケット毎に変動する受信時刻の変動をパケット化周期に同期して反復到来する基準時刻を基準にして測定し、該変動を平均することにより算出され得る。そこで、本実施例では、受信パケット平均時間測定部３４は、受信パケット毎に変動する受信時刻の変動を受信時刻カウンタＣ１の値と受信パケットのシーケンス番号とを用いて、式１に示す差分演算を実施して該変動の平均値を算出し、これを遅延平均値としている。
【００１８】
Ｘ＝Ｃｎ−Ｐｎ×（Ｔｌ÷Ｔ２）  （式１）
Ｘ：差分演算結果
Ｃｎ：受信時刻カウンタ値
Ｐｎ：受信パケットのシーケンス番号
Ｔｌ：パケット化周期（本実施例では１０ｍｓ）
Ｔ２：受信時刻カウンタのカウンタ周期（本実施例では１ｍｓ）
該遅延平均値がジッタバッファ動作ポイントの決定に用いられる。ジッタバッファ動作ポイントは、ある基準時刻からどのくらいの位相差（時間差）で読出を開始するかを与える時点を意味する。本実施例は、該基準時刻を受信時刻カウンタＣ１の値“０”（面情報カウンタＣ２の値“０”及びフレームカウンタＣ３の値“０”）の時点とし、ジッタバッファ動作ポイントは、ジッタバッファ設定値と遅延平均値の和により得られる時点としている。ジッタバッファ設定値とは、バッファ動作おける遅延読出時間を画定する所定信号蓄積量であり、パケット情報メモリ３７に予めから設定される。
【００１９】
例えば、図３のチャートに示した既存パケットのように、パケット化周期を１０ｍｓとしてジッタバッファ設定値を２０ｍｓとする設定にした場合、ジッタバッファ動作ポイントは、ジッタバッファ設定値（２０ｍｓ）と受信パケットの遅延平均値（１ｍｓ）との和により得られる２１ｍｓの時点となる（受信時刻カウンタの値が２１の時点）。
【００２０】
平均結果判定部３６は、平均測定完了時に、並行ストリームで対となる対パケットのパケット番号をアドレスとして、パケット状態メモリ３２から当該対パケットのパケット状態を読み出し、このパケット状態に応じて異なる処理を行う。すなわち、平均結果判定部３６は、対パケットのパケット状態が初期状態または平均測定中であれば、自パケットについて測定した遅延平均値を平均結果メモリ３５に格納する。一方、対パケットのパケット状態が平均測定完了であれば、対パケットの遅延平均値を平均結果メモリ３５に格納する。この動作により、自パケットと対パケットの動作ポイントを一致させるができる。
【００２１】
また、平均結果判定部３６は、対パケットの遅延平均値と自パケットの遅延平均値との遅延平均値差分を算出する。遅延平均値差分は、「自パケットについての遅延平均値」−「対パケットについての遅延平均値」により定まる。
【００２２】
さらに、平均結果判定部３６は、該遅延平均値差分が所定範囲外か否かを判定する。「所定範囲」とは、遅延平均値差分≦「ジッタバッファ設定値」÷「位相差設定値」の条件に定まる範囲である。ここで、「位相差設定値」とはネットワークの設定状況やジッタバッファの設定状況により設定変更が可能な値である。例えば、１ｍｓの主信号を１０ｍｓ分まとめてパケット化する例では、「位相差設定値＝２」は５フレーム（５ｍｓ）の位相差を示し、「位相差設定値＝５」は２フレーム（２ｍｓ）の位相差を示す。尚、位相差は「パケット化周期」／「位相差設定値」である。
【００２３】
もし該遅延平均値差分が該所定範囲内あれば、平均結果判定部３６は、対パケットで測定した遅延平均値を平均結果メモリ３５に格納する。一方、該遅延平均値差分が該所定範囲外あれば、平均結果判定部３６は、自パケットで測定した遅延平均値を平均結果メモリ３５に格納すると共に、「位相差異常」の状態を警報メモリ４２に格納する。
【００２４】
パケット情報メモリ３７は、ストリーム毎、すなわち、パケット番号毎の「ジッタバッファ設定値」及び「チャネル番号」情報を格納するメモリである。チャネル番号はＴＤＭフレーム内のタイムスロットの位置を指定する情報である。
【００２５】
ジッタバッファ書込位置決定部３８は、パケットを受信したら、平均結果メモリ３５から、当該パケット番号に対応する遅延平均値を読み出し、これを基にしてジッタバッファ４０への書込位置を決定する。すなわち、ジッタバッファ書込位置決定部３８は、受信するパケットについて、先ず、受信期待位置を求める。受信期待位置は、「シーケンス番号」×（「バケット化周期」／「受信時刻カウンタ周期」）＋「遅延平均値」で表される。そして、該受信期待位置にジッタバッファ設定値をプラスした値がジッタバッファ４０への書込位置となる。すなわち、書込位置は、「受信期待位置」＋「ジッタバッファ設定値」で表される。該書込位置は、面情報カウンタＣ２及びフレームカウンタＣ３の値により特定される。次いで、上記結果より求まる書込位置とパケット情報メモリ３７から読み出した「チャネル番号」情報より主信号の実際の書込アドレスが決定される。
【００２６】
ジッタバッファ制御部３９は、ジッタバッファ書込位置決定部３８からの書込アドレスに従ってジッタバッファ４０の書込及び読出の制御を、動作ポイントを指定する動作指令を発することにより行う。上記した平均結果判定部３６と、ジッタバッファ書込位置決定部３８と、ジッタバッファ制御部３９とは、本発明の構成要素であるジッタバッファ制御手段を構成する。
【００２７】
ジッタバッファ４０は、２つのストリームに対応してジッタバッファ４０ａと、ジッタバッファ４０ｂとからなる。例えば、既存パケットはジッタバッファ４０ａに書き込まれ、新規パケットはジッタバッファ４０ｂに書き込まれる。
【００２８】
ジッタバッファ４０ａ及びジッタバッファ４０ｂへの書込は、ジッタバッファ制御部３９からの動作指令に応じてなされ、読出は該動作指令に従ってシーケンシャルになされる。読み出される信号は、そのままでＴＤＭフレームが反復するＴＤＭ信号に形成されている。第１ジッタバッファ４０ａ及び第２ジッタバッファ４０ｂは同一構造のメモリであり、パケット化周期分に相当する容量の１面を複数面保持することのできるメモリである。主信号選択部４１は、第１ジッタバッファ４０ａまたは第２ジッタバッファ４０ｂからのＴＤＭ信号を選択して出力する。主信号選択部４１を操作することにより、自パケットのストリームと対パケットのストリームとを切り替えることができる。例えば、既存パケットから新規パケットへの切替運用が可能となる。
【００２９】
尚、以上の説明において、２つのストリームに対応して２つのジッタバッファ４０ａ及び４０ｂが示されたが、３つ以上のストリームを前提として３つ以上のジッタバッファが備えられても良い。
【００３０】
図５は、本発明によるデータ処理装置であるエミュレータ装置の動作手順を示している。該動作手順について図４に示された構成要素を適宜参照して以下説明する。
【００３１】
先ず、エミュレータ装置３０はパケットを受信する（ステップＳ１１）。以下、当該パケットを自パケットとして説明する。エミュレータ装置３０は、次いで、該自パケットからヘッダ部を抽出する（ステップＳ１２）。並行して、パケット状態メモリ３２から自パケットのパケット状態（ステップＳ１３）及び対パケットのパケット状態（ステップＳ１４）を読み出すと共に、平均結果メモリ３５から対パケットの遅延平均値（ステップＳ１５）を読み出す。
【００３２】
次に、エミュレータ装置３０は、自パケットのパケット状態が初期状態であるか否かを判定して（ステップＳ１６）、初期状態の場合にパケット状態を平均測定中に更新して平均測定を開始する（ステップＳ１７）。初期状態でない場合は、自パケットの平均測定中であるか否かを判定する（ステップＳ１８）。平均測定完了状態であれば、動作ポイントが既に決定されているはずであるから、ジッタバッファの制御を行う（ステップＳ１９）。パケット状態が「平均測定中」であれば、受信したパケットを加味してさらに遅延平均値を測定する（ステップＳ２０）。次いで、測定した回数が所定回数を満たしているか否かを判定する（ステップＳ２１）。もし測定回数が所定回数を満たしていないならば平均測定を継続する（ステップＳ２２）。もし測定回数が所定回数を満たしていれば、先のステップＳ１４で読みだした対パケットのパケット状態を判定する（ステップＳ２３）。
【００３３】
エミュレータ装置３０は、対パケットの状態が平均値測定完了せず初期状態か平均値測定中であれば、自パケットの遅延平均値を「平均結果メモリ３５」へ書き込み、自パケット状態を「平均測定完了」にする（ステップＳ２４）。一方、対パケットの状態が平均測定完了であれば、対パケットの遅延平均値と自パケットの遅延平均値との差分平均値が所定範囲内であるか否かを判定する（ステップＳ２５）。ここで、所定範囲内とは、「ジッタバッファ設定値」／「位相差設定値」である。
【００３４】
もし「遅延平均値差分」が「所定範囲」内であれば、エミュレータ装置３０は、対パケットの遅延平均値を「平均結果メモリ３５」に書き込むと共に、自パケット状態を平均測定完了に設定する（ステップＳ２６）。これにより、対パケットの動作ポイントが継承され、対パケット及び自パケットのジッタバッファ４０への書込位置は一致することになる。
【００３５】
もし「遅延平均値差分」が「所定範囲」外であれば、エミュレータ装置３０は、自パケットの遅延平均値を「平均結果メモリ３５」へ書き込むと共に、自パケットのパケット状態を「平均測定完了」に設定する（ステップＳ２７）。並行して、並行パケットの位相差異常を警報メモリ４２へ書き込む（ステップＳ２８）。すなわち、判定結果が所定範囲外である場合は、自パケットについて対パケットの動作ポイントを継承しない。動作ポイントの基礎となる遅延平均値が異なることから、対パケットと自パケットとでジッタバッファ４０への書込位置は異なり、使用するパケットを自パケットに切替えた時、出力ＴＤＭ信号が瞬断することになる。しかし、警報が発出されることで、保守者に切替に先立って瞬断の虞があることを認識させることができる。仮に自パケットに切替を行ったとしても、自パケット独自の動作ポイントで動作するため切替後は安定した動作が提供される。
【００３６】
図６は、図５に示された動作手順の結果として得られるジッタバッファ書込のシーケンスであり、平均値差分が所定範囲内にある場合（ＯＫの場合）のシーケンスを示している。ここで、新規パケットとは自パケットに相当し、既存パケットは対パケットに相当する。図示される状況は以下のように要約される。
【００３７】
既存パケットの遅延平均値＝１．０
新規パケットの遅延平均値＝７．０
平均値差分＝「新規パケットの遅延平均値」−「既存パケットの遅延平均値」             ＝ ７．０−１．０ ＝ ６．０
平均値差分 ≦ ジッタバッファ設定値／位相差設定値の判定を行うと、６．０ ≦ ２０／２であり所定範囲内にある（ジッタバッファ設定値＝２０ｍｓ、位相差設定値＝２を前提とする）。従って、新規パケットは既存パケットの遅延平均値を継承使用する。
【００３８】
図７は、図６に示されたシーケンスとは異なり、平均値差分が所定範囲外にある場合（ＮＧの場合）のシーケンスを示している。ここで、新規パケットとは自パケットに相当し、既存パケットは対パケットに相当する。図示される状況は以下のように要約される。
【００３９】
既存パケットの遅延平均値＝１．０
新規パケットの遅延平均値＝１７．０
平均値差分＝「新規パケットの遅延平均値」−「既存パケットの遅延平均値」
＝ １７．０−１．０ ＝１ ６．０
遅延平均値差分 ≦ ジッタバッファ設定値／位相差設定値の判定を行うと、１６．０ ≦ ２０／２であり、所定範囲外にある（ジッタバッファ設定値＝２０ｍｓ、位相差設定値＝２を前提とする）。従って、新規パケットは既存パケットの遅延平均値を継承せず、その遅延平均値を使用する。
【００４０】
以上の実施例において、複数のストリームにおける遅延平均値の遅延平均値差分を判定し、該遅延平均値差分が所定範囲内ならば、１つのストリームのジッタバッファについて得られた動作ポイントを共通動作ポイントとして、他のストリームの動作ポイントにも共通に用いる構成が与えられる。かかる構成により、既存パケットから新規パケットへの切替を行う運用においても、ＴＤＭ信号の整合性を保ちつつ出力することが可能になる。また、該遅延平均値差分が所定範囲外ならば、動作ポイントを一致させずに異常警報を保守者に対して通知することが可能になる。仮に異常を検出している時に、切替が実行された場合でも、切り替えられたストリームがその独自の動作ポイントで動作しているため、ＴＤＭ信号出力への影響としては切替時の瞬断のみで済み、切替後は安定した動作を提供することができる。
【００４１】
また、パケット状態や遅延平均値等の情報をパケット番号をアドレスとしたメモリに格納すると共に、新たにパケットを受信する都度、該メモリから取得した情報を基にして、１つの平均結果判定部が判定する構成が実現されている。これにより、情報源の増加に伴うパケット番号の増加（ストリーム数の増加）に対しても回路規模を変更することなく柔軟に対応可能となる。
【産業上の利用可能性】
【００４２】
本発明による受信位相継承回路は、既存パケット及び新規パケット如き複数のストリームがある形態のみならず、冗長パケットを送出することより受信タイミングの異なる複数のストリームで動作ポイントを一致させる形態にも適用可能である。例えば、送信側がパケット伝送路Ａ及び伝送路Ｂを介して同一のパケットを送出する形態において、受信側がパケット伝送路Ａを伝送路Ｂに経路変更しても無瞬断を実現することができる。
【図面の簡単な説明】
【００４３】
【図１】公知のエミュレータ装置を示すブロック図である。
【図２】既存パケットから新規パケットへの切替時の形態を示すブロック図である。
【図３】主信号の書込位置にずれが生じる状況を説明しているチャート図である。
【図４】本発明の実施例を示し、本発明による受信位相継承回路であるエミュレータ装置の構成を示すブロック図である。
【図５】本発明によるデータ処理装置であるエミュレータ装置の動作手順を示すフローチャートである。
【図６】平均値差分が所定範囲内にある場合（ＯＫの場合）のシーケンスを示すチャート図である。
【図７】平均値差分が所定範囲外にある場合（ＮＧの場合）のシーケンスを示すチャート図である。
【符号の説明】
【００４４】
１  情報源
２  ＩＰ網
３  従来のエミュレータ装置
４  ＴＤＭ網
３０  エミュレータ装置
３１  パケットヘッダ抽出部
３２  パケット状態メモリ
３３  装置内カウンタ
３４  受信パケット平均時間測定部
３５  平均結果メモリ
３６  平均結果判定部
３７  パケット情報メモリ
３８  ジッタバッファ書込位置決定部
３９  ジッタバッファ制御部
４０  ジッタバッファ
４０ａ  第１ジッタバッファ
４０ｂ  第２ジッタバッファ
４１  主信号選択部
４２  警報メモリ
Ｃ１  受信時刻カウンタ
Ｃ２  面情報カウンタ
Ｃ３  フレームカウンタ
【図１】
2008054020.tif 000003
【図２】
2008054020.tif 000004
【図３】
2008054020.tif 000005
【図４】
2008054020.tif 000006
【図５】
2008054020.tif 000007
【図６】
2008054020.tif 000008
【図７】
2008054020.tif 000009